(57)【要約】【課題】  パソコン操作に不慣れな顧客でも、オンラインでの写真プリントの注文を手軽に行うことを可能とする。【解決手段】  写真処理装置を管理するプリントサーバにアクセスための識別情報を記憶する識別情報記憶部１２２と、メディアドライブ１１２から画像データファイルを読み出すように制御する画像取得制御部１２３と、注文画面のテンプレートデータファイルとメディアドライブ１１２から読み出された画像データファイルのサムネイル画像ファイルとを合成して注文画面データファイルを生成する合成部１２６と、入力装置１３０と、ディスプレイに注文画面を表示するために注文画面データファイルを出力する出力部１２８と、識別情報、注文画面において入力装置１３０によって入力された注文情報、及び画像データファイルをプリントサーバに送信する送信部１２７とが備えられている。【選択図】        図２
2006331173.tif 000002
【特許請求の範囲】
【請求項１】
画像データファイルを取得する画像取得手段と、
注文画面のテンプレートデータファイルと前記画像取得手段が取得した画像データファイル又はそのサムネイル画像ファイルとを合成し、注文画面データファイルを生成する合成手段と、
前記注文画面に含まれる画像に関する注文情報を入力する入力手段と、
前記合成手段での合成によって生成された注文画面データファイルを、ディスプレイに注文画面を表示させるために出力する出力手段とを備えていることを特徴とする写真プリント注文用リモートコントローラ。
【請求項２】
ディスプレイに接続するためのディスプレイ接続端子をさらに備えており、
前記出力手段が、前記合成手段での合成によって生成された注文画面データファイルを、前記ディスプレイ接続端子から出力することを特徴とする請求項１に記載の写真プリント注文用リモートコントローラ。
【請求項３】
前記画像取得手段が、記録媒体に記録された画像データファイルを読み出す読出装置を含んでいることを特徴とする請求項２に記載の写真プリント注文用リモートコントローラ。
【請求項４】
自他識別情報を記憶する識別情報記憶手段と、
通信ネットワークに接続するためのネットワーク接続端子と、
前記識別情報記憶手段に記憶された自他識別情報、前記入力手段によって入力された注文情報、及び、前記読出装置が読み出した画像データファイルを、前記ネットワーク接続端子から、写真プリントを作成するプリンタを管理するサーバに向けて送信する送信手段とをさらに備えていることを特徴とする請求項３に記載の写真プリント注文用リモートコントローラ。
【請求項５】
前記入力手段が、前記送信手段に前記サーバへの送信を開始させるための送信開始ボタンを含んでいることを特徴とする請求項４に記載の写真プリント注文用リモートコントローラ。
【請求項６】
自他識別情報を記憶する識別情報記憶手段と、
ディスプレイを含んでおり且つ通信ネットワークとの接続が可能な端末に接続するための端末接続端子とをさらに備えており、
前記出力手段が、前記合成手段での合成によって生成された注文画面データファイル、前記識別情報記憶手段に記憶された自他識別情報、及び、前記入力手段によって入力された注文情報を、前記端末接続端子から出力することを特徴とする請求項１に記載の写真プリント注文用リモートコントローラ。
【請求項７】
前記画像取得手段が、前記端末接続端子を介した前記端末からの画像データファイルの受信を制御することを特徴とする請求項６に記載の写真プリント注文用リモートコントローラ。
【請求項８】
前記通信ネットワークを介して写真プリントを作成するプリンタを管理するサーバに向けて前記端末に画像データファイルを送信させるための前記端末に対する命令を生成する送信命令生成手段をさらに備えており、
前記出力手段が、前記送信命令生成手段が生成した前記命令を前記端末接続端子から出力することを特徴とする請求項７に記載の写真プリント注文用リモートコントローラ。
【請求項９】
前記画像取得手段が、記録媒体に記録された画像データファイルを読み出す読出装置を含んでいることを特徴とする請求項６に記載の写真プリント注文用リモートコントローラ。
【請求項１０】
前記出力手段が、前記読出装置が読み出した画像データファイルを、前記端末接続端子から、写真プリントを作成するプリンタを管理するサーバに向けて出力することを特徴とする請求項９に記載の写真プリント注文用リモートコントローラ。
【請求項１１】
前記入力手段が、前記出力手段に写真プリントを作成するプリンタを管理するサーバへの送信を開始させるための送信開始ボタンを含んでいることを特徴とする請求項６〜１０のいずれか１項に記載の写真プリント注文用リモートコントローラ。
【請求項１２】
前記注文画面のテンプレートデータファイルを記憶するテンプレート記憶手段をさらに備えていることを特徴とする請求項１〜１１のいずれか１項に記載の写真プリント注文用リモートコントローラ。
【請求項１３】
前記テンプレート記憶手段が、前記注文画面のテンプレートデータファイルと共に、写真プリントを作成するプリンタを管理するサーバが管理するプリンタに関する情報に係る複数の選択肢を表示するプリンタ選択画面のテンプレートデータファイルを記憶しており、
前記出力手段が、前記プリンタ選択画面のテンプレートデータファイルを、前記ディスプレイにプリンタ選択画面を表示させるために出力することを特徴とする請求項１２に記載の写真プリント注文用リモートコントローラ。
【請求項１４】
前記テンプレート記憶手段に記憶されている前記プリンタ選択画面のテンプレートデータファイルを、前記サーバから取得した情報に基づいて更新する更新手段をさらに備えていることを特徴とする請求項１３に記載の写真プリント注文用リモートコントローラ。
【請求項１５】
前記入力手段が、
前記プリンタ選択画面に表示される前記サーバが管理するプリンタに関する情報に係る複数の選択肢の中から１つを選択するためのプリンタ選択ボタンと、
前記プリンタ選択ボタンで選択した選択肢を確定する確定ボタンとを含んでいることを特徴とする請求項１３または１４に記載の写真プリント注文用リモートコントローラ。
【請求項１６】
前記入力手段が、前記注文画面に配置された画像と同様に配置されており、前記注文画面に含まれる画像を選択するための画像選択ボタンを含んでいることを特徴とする請求項１〜１５のいずれか１項に記載の写真プリント注文用リモートコントローラ。
【請求項１７】
前記入力手段が、
前記注文画面に含まれる画像のプリント枚数を増加させるための増加ボタンと、
前記注文画面に含まれる画像のプリント枚数を減少させるための減少ボタンとを含んでいることを特徴とする請求項１〜１６のいずれか１項に記載の写真プリント注文用リモートコントローラ。
【発明の詳細な説明】
【技術分野】
【０００１】
本発明は、オンラインで写真プリントの注文を行う写真プリント注文用リモートコントローラに関する。
【背景技術】
【０００２】
近年、ディジタルカメラで撮影した画像やスキャナで読み込んだ画像等のデジタル画像データファイルのプリントを、オンラインで注文することが可能となっている（特許文献１参照）。
【０００３】
具体的には、まず顧客は、インターネットに接続された自宅のパーソナルコンピュータ（以降、「パソコン」と称する）を用いて、プリント店に設置された写真プリントを作成する写真処理装置を管理するサーバにアクセスする。そして、初めてプリントの注文を行う際には、会員ＩＤ、氏名、住所、電子メールアドレス等を入力して会員登録を行う。既に会員登録している場合には、会員ＩＤ及びパスワードを入力する。続いて、パソコンに読み込まれた画像データファイルのうち、プリントを希望する画像データファイルのプリント枚数等の注文情報を入力する。その後、プリントを希望する画像データファイル及び当該画像データファイルの注文情報を、サーバにアップロードする。プリント店では、サーバにアップロードされた画像データファイル及び注文情報に基づいて写真プリントを作成する。これにより、顧客は、家庭用プリンタでは得ることができない高画質のプリントを、２４時間いつでも自宅から注文することができる。
【特許文献１】特開２００４−１９９２５６号公報
【発明の開示】
【発明が解決しようとする課題】
【０００４】
しかしながら、上述のようにオンラインでプリントの注文を行う際には、パソコンを操作する必要があるので、パソコン操作に不慣れな顧客がプリントの注文を行うためには、わざわざプリント店に赴く必要がある。
【０００５】
そこで、本発明の目的は、パソコン操作に不慣れな顧客でも、オンラインでの写真プリントの注文を手軽に行うことができる写真プリント注文用リモートコントローラを提供することである。
【課題を解決するための手段及び効果】
【０００６】
本発明の写真プリント注文用リモートコントローラは、画像データファイルを取得する画像取得手段と、注文画面のテンプレートデータファイルと前記画像取得手段が取得した画像データファイル又はそのサムネイル画像ファイルとを合成し、注文画面データファイルを生成する合成手段と、前記注文画面に含まれる画像に関する注文情報を入力する入力手段と、前記合成手段での合成によって生成された注文画面データファイルを、ディスプレイに注文画面を表示させるために出力する出力手段とを備えている。
【０００７】
この構成によると、ユーザは、写真プリントの注文に特化しており、パソコンのような汎用装置と比較して操作が簡易である装置を用いて、注文画面に表示された画像を確認しつつオンラインでの写真プリントの注文を行うことが可能となる。したがって、パソコン操作に不慣れな顧客であってもオンラインでの写真プリントの注文を気軽に行うことができる。
【０００８】
本発明の写真プリント注文用リモートコントローラは、ディスプレイに接続するためのディスプレイ接続端子をさらに備えており、前記出力手段が、前記合成手段での合成によって生成された注文画面データファイルを、前記ディスプレイ接続端子から出力してもよい。この構成によると、出力手段がディスプレイ接続端子から出力することで、ディスプレイに注文画面を表示することができる。
【０００９】
本発明の写真プリント注文用リモートコントローラは、前記画像取得手段が、記録媒体に記録された画像データファイルを読み出す読出装置を含んでいることが好ましい。この構成によると、記録媒体に記録された画像データファイルに係る画像を含む注文画面をディスプレイに表示させることができる。
【００１０】
本発明の写真プリント注文用リモートコントローラは、自他識別情報を記憶する識別情報記憶手段と、通信ネットワークに接続するためのネットワーク接続端子と、前記識別情報記憶手段に記憶された自他識別情報、前記入力手段によって入力された注文情報、及び、前記読出装置が読み出した画像データファイルを、前記ネットワーク接続端子から、写真プリントを作成するプリンタを管理するサーバに向けて送信する送信手段とをさらに備えていることが好ましい。この構成によると、自他識別情報と注文情報と画像データファイルとを通信ネットワークを介してサーバに送信することができる。したがって、例えば、パーソナルコンピュータや携帯電話機等の通信ネットワークと接続が可能な端末を別途用意する必要がなくなる。また、ＩＤやパスワード等の自他識別情報を記憶しておくことができる。つまり、ＩＤやパスワードを写真プリントの注文を行う度に入力する必要がなくなる。その結果、オンラインでの写真プリントの注文をさらに気軽に行うことが可能となる。
【００１１】
本発明の写真プリント注文用リモートコントローラでは、前記入力手段が、前記送信手段に前記サーバへの送信を開始させるための送信開始ボタンを含んでいてもよい。この構成によると、送信開始ボタンを操作するだけで、容易にサーバへの送信を開始させることができる。
【００１２】
本発明の写真プリント注文用リモートコントローラは、自他識別情報を記憶する識別情報記憶手段と、ディスプレイを含んでおり且つ通信ネットワークとの接続が可能な端末に接続するための端末接続端子とをさらに備えており、前記出力手段が、前記合成手段での合成によって生成された注文画面データファイル、前記識別情報記憶手段に記憶された自他識別情報、及び、前記入力手段によって入力された注文情報を、前記端末接続端子から出力してもよい。
【００１３】
この構成によると、写真プリント注文用リモートコントローラ自身が通信ネットワークに接続可能である場合と比べて、構成が簡易である。したがって、写真プリント注文用リモートコントローラを安価で提供することができる。また、ＩＤやパスワード等の自他識別情報を記憶しておくことができる。つまり、ＩＤやパスワードを写真プリントの注文を行う度に入力する必要がなくなる。その結果、オンラインでの写真プリントの注文をさらに気軽に行うことが可能となる。
【００１４】
本発明の写真プリント注文用リモートコントローラでは、前記画像取得手段が、前記端末接続端子を介し前記端末からの画像データファイルの受信を制御してもよい。この構成によると、例えば、端末に設けられたハードディスク等の記憶装置や、端末に設けられたメディアドライブにセットされた記録媒体に記録された画像データファイルを取得し、当該画像データファイルに係る画像を含む注文画面をディスプレイに表示することができる。
【００１５】
本発明の写真プリント注文用リモートコントローラは、前記通信ネットワークを介して写真プリントを作成するプリンタを管理するサーバに向けて前記端末に画像データファイルを送信させるための前記端末に対する命令を生成する送信命令生成手段をさらに備えており、前記出力手段が、前記送信命令生成手段が生成した前記命令を前記端末接続端子から出力してもよい。この構成によると、例えば、端末に設けられたハードディスク等の記憶装置や、端末に設けられたメディアドライブにセットされた記録媒体に記録された画像データファイルに係る写真プリントの注文を行うことができる。
【００１６】
本発明の写真プリント注文用リモートコントローラは、前記画像取得手段が、記録媒体に記録された画像データファイルを読み出す読出装置を含んでいてもよい。この構成によると、端末に読出装置が設けられていない場合であっても、記録媒体に記録された画像データファイルに係る画像を含む注文画面をディスプレイに表示させることができる。
【００１７】
本発明の写真プリント注文用リモートコントローラは、前記出力手段が、前記読出装置が読み出した画像データファイルを、前記端末接続端子から、写真プリントを作成するプリンタを管理するサーバに向けて出力してもよい。この構成によると、端末に読出装置が設けられていない場合であっても、記録媒体に記録された画像データファイルに係る写真プリントの注文を行うことができる。
【００１８】
本発明の写真プリント注文用リモートコントローラでは、前記入力手段が、前記出力手段に写真プリントを作成するプリンタを管理するサーバへの送信を開始させるための送信開始ボタンを含んでいてもよい。この構成によると、送信開始ボタンを操作するだけで、容易にサーバへの送信を開始させることができる。
【００１９】
本発明の写真プリント注文用リモートコントローラは、前記注文画面のテンプレートデータファイルを記憶するテンプレート記憶手段をさらに備えていてもよい。この構成によると、注文を行う度にテンプレートデータファイルを外部から取得する必要がないので、注文をスムーズに行うことができる。
【００２０】
本発明の写真プリント注文用リモートコントローラは、前記テンプレート記憶手段が、前記注文画面のテンプレートデータファイルと共に、写真プリントを作成するプリンタを管理するサーバが管理するプリンタに関する情報に係る複数の選択肢を表示するプリンタ選択画面のテンプレートデータファイルを記憶しており、前記出力手段が、前記プリンタ選択画面のテンプレートデータファイルを、前記ディスプレイにプリンタ選択画面を表示させるために出力してもよい。この構成によると、例えば、サーバが複数のプリンタを管理する場合に、複数のプリンタの選択肢を含むプリンタ選択画面をディスプレイに表示させることができる。
【００２１】
本発明の写真プリント注文用リモートコントローラは、前記テンプレート記憶手段に記憶されている前記プリンタ選択画面のテンプレートデータファイルを、前記サーバから取得した情報に基づいて更新する更新手段をさらに備えていてもよい。この構成によると、例えば、新しいプリント店が開店し、写真プリントを作成するプリンタの選択肢が増加した場合等、プリンタに関する情報が変化した場合に、テンプレート記憶手段に記憶されているテンプレートデータファイルを自動的に変更することができる。
【００２２】
本発明の写真プリント注文用リモートコントローラは、前記入力手段が、前記プリンタ選択画面に表示される前記サーバが管理するプリンタに関する情報に係る複数の選択肢の中から１つを選択するためのプリンタ選択ボタンと、前記プリンタ選択ボタンで選択した選択肢を確定する確定ボタンとを含んでいてもよい。この構成によると、プリンタ選択ボタン及び確定ボタンを操作することで、プリンタ選択画面に表示された複数の選択肢の中から選択を希望する選択肢を容易に選択、確定させることができる。
【００２３】
本発明の写真プリント注文用リモートコントローラは、前記入力手段が、前記注文画面に配置された画像と同様に配置されており、前記注文画面に含まれる画像を選択するための画像選択ボタンを含んでいてもよい。この構成によると、注文画面に配置される画像と一対一に対応する画像選択ボタンを操作することによって、注文画面に含まれる画像の中から選択を希望する画像を容易に選択することができる。
【００２４】
本発明の写真プリント注文用リモートコントローラは、前記入力手段が、前記注文画面に含まれる画像のプリント枚数を増加させるための増加ボタンと、前記注文画面に含まれる画像のプリント枚数を減少させるための減少ボタンとを含んでいてもよい。この構成によると、増加ボタンまたは減少ボタンを操作することによって、写真プリントのプリント枚数を容易に入力することができる。
【発明を実施するための最良の形態】
【００２５】
以下、本発明の好適な実施の形態について、図面を参照しつつ説明する。図１は、本発明の第１の実施の形態に係る写真プリント注文用リモートコントローラ（以降、「プリント注文用リモコン」と称する）を含んで構成されるプリントシステムの概略構成を示す図である。
【００２６】
図１に示すプリントシステム１は、インターネット３を利用して写真プリントの注文を受け付け、写真プリントを作成するシステムであり、ディスプレイ１４０が接続されたプリント注文用リモコン１１０と、複数のプリント店にそれぞれ設置された写真プリントを作成するための複数の写真処理装置１５０と、複数の写真処理装置１５０を管理するプリントサーバ１６０と、カード会社１７０ａと通信可能であり、クレジットカードの決済を行う決済サーバ１７０とを備えている。ディスプレイ１４０は、テレビのディスプレイであってもよいし、プリント注文用リモコン１１０と接続するための専用のディスプレイを用意してもよい。そして、プリント注文用リモコン１１０、複数の写真処理装置１５０、プリントサーバ１６０、及び決済サーバ１７０は、それぞれインターネット３に接続されている。なお、決済サーバ１７０の詳細な機能については、本発明に直接関係しないので本明細書では説明を省略する。
【００２７】
次に、図２及び図３を用いて、本実施の形態のプリント注文用リモコン１１０の構成について説明する。図２は、本実施の形態のプリント注文用リモコン１１０の概略構成を示すブロック図である。図３は、図２に示すプリント注文用リモコン１１０の概略構成を示す外観図である。
【００２８】
図２に示すように、プリント注文用リモコン１１０は、プリント注文用リモコン１１０全体を制御するコントローラ１２０と、操作者がプリント注文用リモコン１１０に指示を入力するための入力装置１３０と、セットされたメディアに記録された画像データファイルを読み出すためのメディアドライブ１１２と、ディスプレイ１４０に接続するためのディスプレイ接続端子１１３と、インターネット３に接続するためのインターネット接続端子１１４とを備えている。
【００２９】
入力装置１３０は、図３に示すように、プリント注文用リモコン１１０の電源をＯＮ／ＯＦＦするための電源ボタン１３１と、ディスプレイ１４０に表示されるカーソルを上下左右に移動させるための移動ボタン１３２ａ、１３２ｂ、１３２ｃ、１３２ｄと、ディスプレイ１４０に表示された内容を確定するための確定ボタン１３３と、ディスプレイ１４０に表示される後で詳述する注文画面２０（図６参照）に含まれる６コマ分のサムネイル画像の配置と同様に配置されており、６コマのサムネイル画像をそれぞれ選択するための６個の画像選択ボタン１３４と、注文画面２０において選択されたサムネイル画像のプリント枚数を増加させるための増加ボタン１３５ａ及び減少させるための減少ボタン１３５ｂと、プリント注文用リモコン１１０をインターネット３に接続させ、後述する送信部１２７によるプリントサーバ１６０への送信を開始させるための送信開始ボタン１３６とを有している。
【００３０】
図２に戻って、コントローラ１２０は、個人情報記憶部１２１、識別情報記憶部１２２、画像取得制御部１２３、テンプレート記憶部１２４、入力情報記憶部１２５、合成部１２６、送信部１２７、出力部１２８、及び更新部１２９を有している。
【００３１】
個人情報記憶部１２１には、プリント注文用リモコン１１０の所有者の氏名、住所、電話番号等の個人情報が記憶されている。識別情報記憶部１２２には、インターネット３を介してプリントサーバ１６０にアクセスする際にプリント注文用リモコン１１０の所有者である顧客を識別するための識別情報であるＩＤ及びパスワードが記憶されている。なお、個人情報記憶部１２１及び識別情報記憶部１２２への情報の書き込みは、顧客がプリント注文用リモコン１１０を購入する際に、販売店の店員によって行われてもよいし、プリント注文用リモコン１１０を購入した顧客によって行われてもよい。画像取得制御部１２３は、メディアから画像データファイルが読み出されるようにメディアドライブ１１２を制御する。
【００３２】
テンプレート記憶部１２４は、ディスプレイ１４０に表示される初期画面１０（図５参照）、注文画面２０（図６参照）、プリンタ選択画面３０（図７参照）、受取場所選択画面４０（図８参照）、支払経路選択画面５０（図９参照）、カード情報入力画面６０（図１０参照）、確認画面７０（図１１参照）、及び発注画面８０（図１２参照）のテンプレートデータファイルをそれぞれ記憶する。
【００３３】
初期画面１０のテンプレートデータファイルに基づいてディスプレイ１４０に表示される初期画面１０には、図５に示すように、プリント注文用リモコン１１０の操作者に対して、入力装置１３０の確定ボタン１３３を操作するように促すメッセージが表示される。
【００３４】
注文画面２０のテンプレートデータファイルは、後で詳述するように、合成部１２６によって、画像取得取得部１２３が読み出した画像データファイルのサムネイル画像ファイルと合成される。合成によって生成される注文画面データファイルに基づいて、ディスプレイ１４０に表示される注文画面２０には、図６に示すように、メディアドライブ１１２によって読み出された画像データファイルに係る複数のサムネイル画像のうち６コマ分のサムネイル画像と、各サムネイル画像のプリント枚数とが表示される。操作者は、注文画面２０に表示される６コマ分のサムネイル画像と一対一に対応する入力装置１３０の画像選択ボタン１３４を操作することによって、６コマ分のサムネイル画像の中の１つを選択することができる。そして、入力装置１３０の増加ボタン１３５ａまたは減少ボタン１３５ｂを操作することによって、選択されたサムネイル画像のプリント枚数を入力することができる。
【００３５】
プリンタ選択画面３０のテンプレートデータファイルには、プリントサーバ１６０が管理する複数の写真処理装置１５０について、各写真処理装置１５０が設置されたプリント店の店名及び住所と、仕上がった写真プリントの配送が可能であるか否か、現金決済が可能であるか否か、及びクレジット決済が可能であるか否かの情報が含まれている。そして、プリンタ選択画面３０のテンプレートデータファイルに基づいて、ディスプレイ１４０に表示されるプリンタ選択画面３０には、図７に示すように、どのプリント店に設置された写真処理装置１５０で写真プリントを作成するかの複数の選択肢が表示される。操作者は、入力装置１３０の移動ボタン１３２ａ、１３２ｂを操作することによって、写真処理装置１５０が設置された複数のプリント店の中から１つを選択し、確定ボタン１３３を操作することによって、写真プリントを作成する写真処理装置１５０を確定することができる。なお、本実施の形態では、プリンタ選択画面３０には、プリントサーバ１６０が管理する複数の写真処理装置１５０のうち、その設置場所が、個人情報記憶部１２１に記憶されているプリント注文用リモコン１１０の所有者の住所に比較的近いものの選択肢のみが表示されることとする。
【００３６】
受取場所選択画面４０のテンプレートデータファイルには、仕上がった写真プリントを受け取ることができる場所の選択肢（プリント店の店頭または自宅）、及びプリントサーバ１６０が管理する複数の写真処理装置１５０がそれぞれ設置されているプリント店の営業日時の情報が含まれている。そして、受取場所選択画面４０のテンプレートデータファイルに基づいて、ディスプレイ１４０に表示される受取場所選択画面４０には、図８に示すように、仕上がった写真プリントを、当該写真プリントを作成した写真処理装置１５０が設置されたプリント店の店頭で受け取る場合と、自宅で受け取る場合との２つの選択肢、及びプリンタ選択画面３０で選択したプリント店の営業日時が表示される。顧客は、入力装置１３０の移動ボタン１３２ａ、１３２ｂを操作することによって、受取場所に関する２つの選択肢のいずれかを選択することができる。
【００３７】
支払経路選択画面５０のテンプレートデータファイルには、写真プリントの代金の支払経路の選択肢（現金決済またはクレジットカード決済）の情報が含まれている。そして、支払経路選択画面５０のテンプレートデータファイルに基づいて、ディスプレイ１４０に表示される支払経路選択画面５０には、図９に示すように、写真プリントの代金を現金で支払う場合と、クレジットカードで支払場合との２つの選択肢が表示される。顧客は、入力装置１３０の移動ボタン１３２ａ、１３２ｂを操作することによって、支払経路に関する２つの選択肢のいずれかを選択することができる。
【００３８】
カード情報入力画面６０のテンプレートデータファイルに基づいてディスプレイ１４０に表示されるカード情報入力画面６０には、図１０に示すように、カード番号入力欄６１と、有効期限入力欄６２と、入力キー６３とが表示される。顧客は、入力装置１３０の移動ボタン１３２ｃ、１３２ｄを操作することによって、０〜９までの番号に対応する入力キー６３のいずれか１つを選択し、確定ボタン１３３を操作することでカード番号入力欄６１及び有効期限入力欄５７に顧客が所有するクレジットカードのカード番号及び有効期限（以降、まとめて「カード情報」と称する場合がある）をそれぞれ入力することができる。
【００３９】
確認画面７０のテンプレートデータファイルは、後で詳述するように、合成部１２６によって、入力情報記憶部１２５に記憶されている入力データファイルと合成される。そして、合成によって生成される確認画面データファイルに基づいて、ディスプレイ１４０に表示される確認画面７０には、図１１に示すように、顧客が注文した写真プリントのプリント枚数と、金額と、発注先と、写真プリントの受取場所と、支払経路とが表示される。さらに、クレジットカードで支払いを行う場合には、カード情報が表示される。
【００４０】
発注画面８０のテンプレートデータファイルに基づいてディスプレイ１４０に表示される発注画面８０には、図１２に示すように、操作者に対して、入力装置１３０の送信開始ボタン１３６を操作するように促すメッセージが表示される。
【００４１】
入力情報記憶部１２５は、プリント注文用リモコン１１０の操作者によって、入力装置１３０を用いて入力された情報である入力データファイルが記憶される。そして、入力情報記憶部１２５は、発注情報記憶部１２５ａとカード情報記憶部１２５ｂとを有している。発注情報記憶部１２５ａには、入力装置１３０を用いて入力された発注情報が記憶される。発注情報とは、注文画面２０（図６参照）において入力される注文情報である各画像データファイルに係る画像のプリント枚数、及びプリンタ選択画面３０（図７参照）、受取場所選択画面４０（図８参照）、支払経路選択画面５０（図９参照）においてそれぞれ選択される選択肢である。カード情報記憶部１２５ｂは、カード情報入力画面（図１０参照）において入力されるカード情報が記憶される。
【００４２】
合成部１２６は、テンプレート記憶部１２４に記憶されている注文画面２０（図６参照）のテンプレートデータファイルに含まれる画像配置レイアウトに関する情報に基づいて、メディアドライブ１１２によって読み出された画像データファイルに係るサムネイル画像が配置された注文画面２０に相当する注文画面データファイルが生成されるように、メディアドライブ１１２が読み出した画像データファイルのサムネイル画像ファイルを生成すると共に、注文画面２０のテンプレートデータファイルと画像データファイルのサムネイル画像ファイルとを合成する。また、合成部１２６は、テンプレート記憶部１２４に記憶されている確認画面７０（図１１参照）のテンプレートデータファイルと、入力情報記憶部１２５に記憶されている入力データファイルとを合成することによって、確認画面７０に相当する確認画面データファイルを生成する。
【００４３】
送信部１２７は、インターネット接続端子１１４からデータを送信する。より詳細には、送信部１２７は、メディアドライブ１１２が読み出した画像データファイルと、発注情報記憶部１２５ａに記憶されている発注情報と、識別情報記憶部１２２に記憶されている識別情報とをインターネット接続端子１１４からプリントサーバ１６０に向けて送信する。さらに、送信部１２７は、カード情報記憶部１２５ｂに記憶されているカード情報をインターネット接続端子１１４から決済サーバ１７０に向けて送信する。
【００４４】
出力部１２８は、ディスプレイ接続端子１１３からデータを出力する。より詳細には、出力部１２８は、テンプレート記憶部１２４に記憶されている初期画面１０（図５参照）、プリンタ選択画面３０（図７参照）、受取場所選択画面４０（図８参照）、支払経路選択画面５０（図９参照）、カード情報入力画面６０（図１０参照）、及び発注画面８０のテンプレートデータファイル、ならびに合成部１２６での合成によって生成された注文画面データファイル、及び確認画面データファイルをディスプレイ接続端子１１３から出力する。
【００４５】
更新部１２９は、写真プリントの注文が行われる度に、プリントサーバ１６０のプリンタ情報記憶部（図示せず）から取得された、プリントサーバ１６０が管理している複数の写真処理装置１５０に関する最新の情報に基づいて、テンプレート記憶部１２４に記憶されているプリンタ選択画面３０及び受取場所選択画面４０のテンプレートデータファイルを更新する。なお、プリントサーバ１６０のプリンタ情報記憶部の記憶内容は、例えば、新しいプリント店が開店し、写真プリントを作成する写真処理装置１５０の選択肢が増加した場合や、プリント店のサービスが変更され、写真プリントの受取場所の選択肢や支払経路の選択肢が変化した場合や、プリント店の営業日時が変更された場合等に、当該プリント店の店員またはプリントサーバ１６０の管理者によって書き換えられる。
【００４６】
次に、プリント注文用リモコン１１０を用いて写真プリントの注文を行う手順を示すフローチャートである図４を用いて、プリント注文用リモコン１１０での処理手順について説明する。
【００４７】
まず、操作者が入力装置１３０の電源ボタン１３１を操作し、プリント注文用リモコン１１０の電源をＯＮにすると、更新部１２９が、インターネット３を介してプリントサーバ１６０から取得された最新の情報に基づいて、テンプレート記憶部１２４に記憶されているテンプレートデータファイルを更新する（ステップＳ１０１）。次に、出力部１２８が、テンプレート記憶部１２４に記憶されている初期画面１０のテンプレートデータファイルをディスプレイ接続端子１１３からディスプレイ１４０に向けて出力する（ステップＳ１０２）。このとき、ディスプレイ１４０には、図５に示すような初期画面１０が表示される。
【００４８】
その後、操作者によって、入力装置１３０の確定ボタン１３３が操作されたか否かが判断される（ステップＳ１０３）。確定ボタン１３３が操作されていないと判断された場合には（ステップＳ１０３：ＮＯ）、確定ボタン１３３が操作されたと判断されるまで、ステップＳ１０３の判断が繰り返される。そして、確定ボタン１３３が操作されたと判断された場合には（ステップＳ１０３：ＹＥＳ）、メディアドライブ１１２が、画像取得制御部１２３の制御によってメディアドライブ１１２にセットされたメディアから画像データファイルを読み出す（ステップＳ１０４）。
【００４９】
続いて、合成部１２６が、メディアドライブ１１２が読み出した画像データファイルのサムネイル画像ファイルを生成すると共に、テンプレート記憶部１２４に記憶されている注文画面２０のテンプレートデータファイルと画像データファイルのサムネイル画像ファイルとを合成し、注文画面データファイルを生成する（ステップＳ１０５）。そして、出力部１２８が、合成部１２６によって生成された注文画面データファイルをディスプレイ接続端子１１３からディスプレイ１４０に向けて出力する（ステップＳ１０６）。このとき、ディスプレイ１４０には、図６に示すような注文画面２０が表示される。
【００５０】
その後、操作者によって、画像選択ボタン１３４を用いて注文画面２０に表示された６コマのサムネイル画像のうちの１つが選択され、増加ボタン１３５ａまたは減少ボタン１３５ｂを用いてプリント枚数が入力されたか否かが判断される（ステップＳ１０７）。プリント枚数が入力されていないと判断された場合には（ステップＳ１０７：ＮＯ）、後述するステップＳ１０８を省略して、ステップＳ１０９に進む。一方、プリント枚数が入力されたと判断された場合には（ステップＳ１０７：ＹＥＳ）、操作者によって入力されたプリント枚数が発注情報記憶部１２５ａに記憶される（ステップＳ１０８）。
【００５１】
次いで、入力装置１３０の確定ボタン１３３が操作されたか否かが判断される（ステップＳ１０９）。確定ボタン１３３が操作されていないと判断された場合には（ステップＳ１０９：ＮＯ）。ステップＳ１０７に戻り、プリント枚数が入力されたか否かの判断が再び行われる。一方、確定ボタン１３３が操作されたと判断された場合には（ステップＳ１０９：ＹＥＳ）、出力部１２８が、プリンタ選択画面３０のテンプレートデータファイルをディスプレイ接続端子１１３からディスプレイ１４０に向けて出力する（ステップＳ１１０）。このとき、ディスプレイ１４０に、図７に示すようなプリンタ選択画面３０が表示される。
【００５２】
続いて、操作者によって、入力装置１３０の移動ボタン１３２ａ、１３２ｂを用いて、プリンタ選択画面３０に表示された複数の選択肢の中から１つが選択された後、確定ボタン１３３が操作されたか否かが判断される（ステップＳ１１１）。確定ボタンが操作されていないと判断された場合には（ステップＳ１１１：ＮＯ）。確定ボタン１３３が操作されたと判断されるまで、ステップＳ１１１の判断が繰り返し行われる。
【００５３】
そして、確定ボタン１３３が操作されたと判断された場合には（ステップＳ１１１：ＹＥＳ）、プリンタ選択画面３０において操作者が選択した選択肢に対応する写真処理装置１５０で写真プリントを作成した場合、仕上がった写真プリントの受け取り場所をプリント店の店頭にするか自宅にするかを選択可能であるか否かが判断される（ステップＳ１１２）。受け取り場所を選択可能でないと判断された場合には（ステップＳ１１２：ＮＯ）、後述するステップＳ１１３、Ｓ１１４を省略して、ステップＳ１１５に進む。
【００５４】
一方、受け取り場所を選択可能であると判断された場合には（ステップＳ１１２：ＹＥＳ）、出力部１２８が、テンプレート記憶部１２４に記憶されている受取場所選択画面４０のテンプレートデータファイルをディスプレイ接続端子１１３からディスプレイ１４０に向けて出力する（ステップＳ１１３）。このとき、図８に示すような受取場所選択画面４０がディスプレイ１４０に表示される。
【００５５】
その後、操作者によって、入力装置１３０の移動ボタン１３２ａ、１３２ｂを用いて、受取場所選択画面４０に表示された写真プリントの受け取り場所に関する選択肢の中から１つが選択された後、確定ボタン１３３が操作されたか否かが判断される（ステップＳ１１４）。確定ボタン１３３が操作されたと判断されなかった場合には（ステップＳ１１４：ＮＯ）、確定ボタン１３３が操作されたと判断されるまで、ステップＳ１１４の判断が繰り返し行われる。
【００５６】
そして、確定ボタン１３３が操作されたと判断された場合には（ステップＳ１１４：ＹＥＳ）、プリンタ選択画面３０において顧客が選択した選択肢に対応する写真処理装置１５０で写真プリントを作成した場合、写真プリントの代金を現金で決済するかクレジットカードで決済するかを選択可能であるか否かが判断される（ステップＳ１１５）。支払い経路を選択可能でないと判断された場合には（ステップＳ１１５：ＮＯ）、後述するステップＳ１１６、Ｓ１１７を省略して、ステップＳ１１８に進む。
【００５７】
一方、支払い経路を選択可能であると判断された場合には（ステップＳ１１５：ＹＥＳ）、出力部１２８が、テンプレート記憶部１２４に記憶されている支払経路選択画面５０のテンプレートデータファイルをディスプレイ接続端子１１３からディスプレイ１４０に向けて出力する（ステップＳ１１６）。このとき、図９に示すような支払経路選択画面５０がディスプレイ１４０に表示される。
【００５８】
続いて、操作者によって、入力装置１３０の移動ボタン１３２ａ、１３２ｂを用いて支払経路選択画面５０に表示された写真プリントの支払い経路に関する選択肢の中から１つが選択された後、確定ボタン１３３が操作されたか否かが判断される（ステップＳ１１７）。確定ボタン１３３が操作されたと判断されなかった場合には（ステップＳ１１７：ＮＯ）、確定ボタン１３３が操作されたと判断されるまで、ステップＳ１１７の判断が繰り返し行われる。
【００５９】
そして、確定ボタン１３３が操作されたと判断された場合には（ステップＳ１１７：ＹＥＳ）、写真プリントの代金がクレジットカードで決済されるか否かが判断される（ステップＳ１１８）。クレジットカードで決済されないと判断された場合には（ステップＳ１１８：ＮＯ）、後述するステップＳ１１９、Ｓ１２０を省略して、ステップＳ１２１に進む。
【００６０】
一方、クレジットカードで決済が行われると判断された場合には（ステップＳ１１８：ＹＥＳ）、出力部１２８が、テンプレート記憶部１２４に記憶されているカード情報入力画面６０のテンプレートデータファイルをディスプレイ接続端子１１３からディスプレイ１４０に向けて出力する（ステップＳ１１９）。このとき、図１０に示すようなカード情報入力画面６０がディスプレイ１４０に表示される。
【００６１】
次いで、顧客によって、入力装置１３０の移動ボタン１３２ｃ、１３２ｄ、及び確定ボタン１３３を用いてカード情報が入力された後、確定ボタン１３３が操作されたか否かが判断される（ステップＳ１２０）。確定ボタン１３３が操作されたと判断されなかった場合には（ステップＳ１２０：ＮＯ）、確定ボタン１３３が操作されたと判断されるまで、ステップＳ１２０の判断が繰り返し行われる。
【００６２】
そして、確定ボタン１３３が操作されたと判断された場合には（ステップＳ１２０：ＹＥＳ）、合成部１２６が、テンプレート記憶部１２４に記憶されている確認画面７０のテンプレートデータファイルと、入力情報記憶部１２５に記憶されている入力データファイルとを合成することで生成した確認画面データファイルを、出力部１２８が、ディスプレイ接続端子１１３からディスプレイ１４０に向けて出力する（ステップＳ１２１）。このとき、図１１に示すような確認画面７０がディスプレイ１４０に表示される。
【００６３】
続いて、顧客が注文内容を確認し、入力装置１３０の確定ボタン１３３を操作したか否かが判断される（ステップＳ１２２）。確定ボタン１３３が操作されたと判断されなかった場合には（ステップＳ１２２：ＮＯ）、確定ボタン１３３が操作されたと判断されるまで、ステップＳ１２２の判断が繰り返し行われる。そして、確定ボタン１３３が操作されたと判断された場合には（ステップＳ１２２：ＹＥＳ）、出力部１２８によって、テンプレート記憶部１２４に記憶されている発注画面８０のテンプレートデータファイルをディスプレイ出力端子１１３からディスプレイ１４０に向けて出力する（ステップＳ１２３）。この時、図１２に示すような発注画面８０がディスプレイ１４０に表示される。
【００６４】
次いで、顧客によって、入力装置１３０の送信開始ボタン１３６が操作されたか否かが判断される（ステップＳ１２４）。送信開始ボタン１３６が操作されていないと判断された場合には（ステップＳ１２４：ＮＯ）、送信開始ボタン１３６が操作されたと判断されるまで、ステップＳ１２４での判断が繰り返し行われる。そして、送信開始ボタン１３６が操作されたと判断された場合には（ステップＳ１２４：ＹＥＳ）、カード情報入力画面６５においてカード情報が入力されたか否かが判断される（ステップＳ１２５）。
【００６５】
カード情報が入力されていないと判断された場合には（ステップＳ１２５：ＮＯ）、後述するステップＳ１２６を省略して、ステップＳ１２７に進む。一方、カード情報が入力されたと判断された場合には（ステップＳ１２５：ＹＥＳ）、送信部１２７によって、カード情報記憶部１２５ｂの記憶内容が、インターネット接続端子１１４から決済サーバ１７０に向けて送信される（ステップＳ１２６）。その後、送信部１２７によって、メディアドライブ１１２から読み出された画像データファイルと、発注情報記憶部１２５ａに記憶された発注情報と、識別情報記憶部１２２に記憶された識別情報とが、インターネット接続端子１１４からプリントサーバ１６０に向けて送信される（ステップＳ１２７）。
【００６６】
本実施の形態では、上述のようにして、プリント注文用リモコン１１０を用いて写真プリントの注文が行われる。なお、写真プリントの注文が行われた後、プリントサーバ１６０及び写真処理装置１５０で行われる処理は、本発明に直接関係しないので、詳細な説明は省略する。以下、プリントサーバ１６０及び写真処理装置１５０で行われる処理について簡単に説明する。
【００６７】
上述のように写真プリントの注文が行われた後、プリントサーバ１６０において、プリント注文用リモコン１１０のインターネット接続端子１１４から出力された識別情報の認証が行われる。その結果、プリントサーバ１６０へのアクセスが承認されると、プリントサーバ１６０は、プリント注文用リモコン１１０のインターネット接続端子１１４から出力された発注情報を受信する。その後、受信した発注情報に基づいて、管理する複数の写真処理装置１５０のうち、どの装置で写真プリントを作成するかを判断し、当該写真処理装置１５０にプリント注文用リモコン１１０から受信した画像データファイルと発注情報に含まれる注文情報とからなるプリント情報を送信する。そして、プリントサーバ１６０から送信されたプリント情報を受信した写真処理装置１５０は、受信したプリント情報に基づいて写真プリントを作成する。
【００６８】
以上のように、本実施の形態のプリント注文用リモコン１１０では、出力部１２８が、合成部１２６によってメディアドライブ１１２が読み出した画像データファイルのサムネイル画像ファイルと、テンプレート記憶部１２４に記憶されたサムネイル画像の配置レイアウトに関する情報を含む注文画面２０のテンプレートデータファイルとが合成されて生成された注文画面データファイルを、注文画面２０をディスプレイ１４０に表示させるために出力する。そして、ユーザは、注文画面２０に含まれるサムネイル画像に関する注文情報を入力装置１３０によって入力することができる。これにより、ユーザは、写真プリントの注文に特化しており、パソコンのような汎用装置と比較して操作が簡易である装置を用いて、注文画面２０に表示されたサムネイル画像を確認しつつオンラインでの写真プリントの注文を行うこと可能となる。したがって、パソコン操作に不慣れな顧客であってもオンラインでの写真プリントの注文を気軽に行うことができる。
【００６９】
また、本実施の形態のプリント注文用リモコン１１０では、出力部１２８が、合成部１２６での合成によって生成された注文画面データファイルを、ディスプレイ１４０に接続するためのディスプレイ接続端子１１３から出力する。したがって、注文画面２０をディスプレイ１４０に表示させることができる。
【００７０】
さらに、本実施の形態のプリント注文用リモコン１１０は、メディアに記憶された画像データファイルを読み出すメディアドライブ１１２を備えている。したがって、例えば、スマートメディア、コンパクトフラッシュ（登録商標）、メモリスティック（登録商標）等のメディアに記録された画像データファイルに係るサムネイル画像を含む注文画面２０をディスプレイ１４０に表示させることができる。
【００７１】
また、本実施の形態のプリント注文用リモコン１１０は、インターネット３を介してプリントサーバ１６０にアクセスする際にプリント注文用リモコン１１０の所有者である顧客を識別するための識別情報であるＩＤ及びパスワードを記憶する識別情報記憶部１２２を備えており、送信部１２７が、識別情報記憶部１２２に記憶された識別情報、入力装置１３０によって入力された発注情報、及びメディアドライブ１１２によってメディアから読み出された画像データファイルを、インターネット接続端子１１３から、プリントサーバ１６０に向けて出力する。したがって、例えば、パーソナルコンピュータや携帯電話機等のインターネット３と接続が可能な端末を別途用意する必要がなくなる。また、ＩＤやパスワード等の識別情報をあらかじめ識別情報記憶部１２２に記憶しておくことができる。つまり、ＩＤやパスワードを写真プリントの注文を行う度に入力する必要がなくなる。その結果、オンラインでの写真プリントの注文をさらに気軽に行うことが可能となる。
【００７２】
加えて、本実施の形態のプリント注文用リモコン１１０は、ディスプレイ１４０に表示される画面のテンプレートデータファイルを記憶するテンプレートデータ記憶部１２４を備えている。したがって、注文を行う度にテンプレートデータファイルを外部から取得する必要がないので、注文をスムーズに行うことができる。
【００７３】
また、本実施の形態のプリント注文用リモコン１１０では、テンプレート記憶部１２４に記憶されるテンプレートテータファイルに、プリントサーバ１６０が管理する複数の写真処理装置１５０についての複数の選択肢を表示するプリンタ選択画面３０、仕上がった写真プリントを受け取り場所の選択肢を表示する受取場所選択画面４０、及び写真プリントの代金の支払経路の選択肢を表示する支払経路選択画面５０のテンプレートデータファイルが含まれており、出力部１２８は、プリンタ選択画面３０、受取場所選択画面４０、及び支払経路選択画面５０のテンプレートデータファイルを、プリンタ選択画面３０、受取場所選択画面４０、及び支払経路選択画面５０をディスプレイ１４０に表示させるためにそれぞれ出力する。したがって、複数のプリンタの選択肢を含むプリンタ選択画面３０、受取場所の選択肢を含む受取場所選択画面４０、及び支払経路の選択肢を含む支払経路選択画面５０をディスプレイ１４０に表示させることができる。
【００７４】
また、本実施の形態のプリント注文用リモコン１１０では、更新部１２９が、テンプレート記憶部１２４に記憶されているプリンタ選択画面３０及び受取場所選択画面４０のテンプレートデータファイルを、プリントサーバ１６０から取得した情報に基づいて更新する。したがって、例えば、新しいプリント店が開店し、写真プリントを作成するプリンタの選択肢が増加した場合や、プリント店のサービスが変更され、写真プリントの受取場所の選択肢や支払経路の選択肢が変化した場合や、プリント店の営業日時が変更された場合等、プリンタに関する情報が変化した場合に、テンプレート記憶部１２４の記憶内容を自動的に変更することができる。
【００７５】
加えて、本実施の形態のプリント注文用リモコン１１０では、入力装置１３０が、プリンタ選択画面３０、受取場所選択画面４０、及び支払経路選択画面５０において、ディスプレイ１４０に表示されるカーソルを移動させることによって、当該画面に表示された複数の選択肢の中から１つを選択させるための移動ボタン１３２ａ、１３２ｂと、プリンタ選択画面３０、受取場所選択画面４０、及び支払経路選択画面５０において、選択された選択肢を確定させるための確定ボタン１３３とを備えている。したがって、移動ボタン１３２ａ、１３２ｂ、及び確定ボタン１３３を操作することによって、プリンタ選択画面３０、受取場所選択画面４０、及び支払経路選択画面５０に表示された複数の選択肢の中から選択を希望する選択肢を容易に選択、確定させることができる。
【００７６】
さらに、本実施の形態のプリント注文用リモコン１１０では、入力装置１３０が、ディスプレイ１４０に表示される注文画面２０に含まれる６コマ分のサムネイル画像の配置と同様に配置されており、６コマのサムネイル画像をそれぞれ選択するための６個の画像選択ボタン１３４を備えている。したがって、注文画面２０に配置されるサムネイル画像と一対一に対応する画像選択ボタン１３４を操作することによって、注文画面２０に含まれるサムネイル画像の中から選択を希望するサムネイル画像を容易に選択することができる。
【００７７】
また、本実施の形態のプリント注文用リモコン１１０では、入力装置１３０が、注文画面２０において選択されたサムネイル画像のプリント枚数を増加させるための増加ボタン１３５ａ及び減少させるための減少ボタン１３５ｂを備えている。したがって、増加ボタン１３５ａまたは減少ボタン１３５ｂを操作することによって、写真プリントのプリント枚数を容易に入力することができる。
【００７８】
さらに、本実施の形態のプリント注文用リモコン１１０では、入力装置１３０が、プリント注文用リモコン１１０をインターネット３に接続させて、送信部１２７によるプリントサーバ１６０への送信を開始させるための送信開始ボタン１３６を備えている。したがって、送信開始ボタン１３６を操作するだけで、容易にプリントサーバ１６０への送信を開始させることができる。
【００７９】
次に、図１３、図１４を参照しつつ、本発明の第２の実施の形態について説明する。図１３は、本発明の第２の実施の形態に係るプリント注文用リモコンを含んで構成されるプリントシステムの概略構成を示す図である。図１４は、プリント注文用リモコンの概略構成を示すブロック図である。
【００８０】
第２の実施の形態に係るプリントシステム２０１の構成が、第１の実施の形態に係るプリントシステム１の構成と主に異なる点は、プリントシステム１に含まれるプリント注文用リモコン１１０は、インターネット３に接続するためのインターネット接続端子１１４を備えており、インターネット３と直接的に通信可能である（図１参照）のに対して、本実施の形態のプリントシステム２０１に含まれるプリント注文用リモコン２１０は、パソコン２４０に接続するためのパソコン接続端子２１３（図１４参照）を備えており、パソコン３を介してインターネット３と間接的に接続可能である（図１３参照）点である。なお、プリントシステム２０１のその他の構成については、図１に示すプリントシステム１とほぼ同様であるので、同様の符号を付して説明を省略する。
【００８１】
パソコン２４０は、インターネット３に接続可能である。また、パソコン２４０は、図１３に示すように、図５〜図１２に示す初期画面１０、注文画面２０、プリンタ選択画面３０、受取場所選択画面４０、支払経路選択画面５０、カード情報入力画面６０、確認画面７０、及び発注画面８０を表示するためのディスプレイ２４１と、セットされたメディアに記録された画像データファイルを読み出すメディアドライブ２４２とを備えている。さらに、パソコン２４０は、各種のデータやプログラムが保存されるハードディスク（図示せず）を備えている。
【００８２】
図１４に示すように、第２の実施の形態のプリント注文用リモコン２１０は、プリント注文用リモコン２１０全体を制御するコントローラ２２０と、操作者がプリント注文用リモコン２１０に指示を入力するための入力装置２３０と、パソコン接続端子２１３とを備えている。
【００８３】
入力装置２３０の構成は、第１の実施の形態のプリント注文用リモコン１１０の入力装置１３０の構成とほぼ同様である。ただし、入力装置１３０の送信開始ボタン１３６に対応するボタン（図示せず）は、後述する送信命令生成部２２７によって生成された命令をパソコン２４０へ出力すると共に、プリント注文用リモコン２１０をパソコン２４０を介してインターネット３に接続させ、後述する出力部２２８によるプリントサーバ１６０への出力送信を開始させる機能を有している。
【００８４】
コントローラ２２０は、個人情報記憶部２２１、識別情報記憶部２２２、画像取得制御部２２３、テンプレート記憶部２２４、入力情報記憶部２２５、合成部２２６、送信命令生成部２２７、出力部２２８、及び更新部２２９を有している。なお、個人情報記憶部２２１、識別情報記憶部２２２、テンプレート記憶部２２４、入力情報記憶部２２５、合成部２２６、及び更新部２２９の機能は、第１の実施の形態のコントローラ１２０の個人情報記憶部１２１、識別情報記憶部１２２、テンプレート記憶部１２４、入力情報記憶部１２５、合成部１２６、及び更新部１２９の機能と同一であるので、説明は省略する。
【００８５】
画像取得制御部２２３は、パソコン２４０のハードディスクに保存されている画像データファイル、またはパソコン２４０のメディアドライブ２４２によってメディアから読み出された画像データファイルの、パソコン接続端子２１３を介したパソコン２４０からの受信を制御する。送信命令生成部２２７は、インターネット３を介してプリントサーバ１６０に向けてパソコン２４０に画像データファイルを送信させるためのパソコン２４０に対する命令を生成する。
【００８６】
出力部２２８は、パソコン接続端子２１３からデータを出力する。より詳細には、出力部２２８は、テンプレート記憶部２２４の記憶内容を、パソコン２４０のディスプレイ２４１に初期画面１０、プリンタ選択画面３０、受取場所選択画面４０、支払経路選択画面５０、カード情報入力画面６０、及び発注画面８０を表示させるために出力する。また、出力部２２８は、合成部２２６での合成によって生成された注文画面データファイル及び確認画面データファイルを、パソコン２４０のディスプレイ２４１に注文画面２０及び確認画面７０を表示させるために出力する。さらに、出力部２２８は、発注情報記憶部２２５ａに記憶されている発注情報と、識別情報記憶部２２２に記憶されている識別情報とを、パソコン２４０及びインターネット３を介してサーバ１６０に向けて出力させるために出力する。加えて、出力部２２８は、送信命令生成部２２７によって生成された命令を出力する。その上、出力部２２８は、カード情報記憶部２２５ｂに記憶されているカード情報を決済サーバ１７０に向けて出力する。
【００８７】
次に、本実施の形態のプリント注文用リモコン２１０を用いて写真プリントの注文を行う手順について説明する。なお、写真プリントの注文を行う際の本実施の形態のプリント注文用リモコン２１０における処理手順は、第１の実施の形態のプリント注文用リモコン１１０における処理手順をほぼ等しいので、詳細な説明は省略する。
【００８８】
まず、本実施の形態のプリント注文用リモコン２１０では、図４に示す第１の実施の形態のプリント注文用リモコン１１０で行われる処理手順のステップＳ１０１〜ステップＳ１２６までと同様の処理が行われる。ただし、第１の実施の形態のプリント注文用リモコン１１０では、ステップＳ１０４において、メディアドライブ１１２が、メディアドライブ１１２にセットされたメディアから画像データファイルを読み出すが、本実施の形態のプリント注文用リモコン２１０では、画像取得制御部２２３の制御に基づいて、パソコン２４０のハードディスクに保存された画像データファイル、またはパソコン２４０のメディアドライブ２４２にセットされたメディアから読み出された画像データファイルをコントローラ２２０が取得する。
【００８９】
そして、カード情報入力画面６０においてカード情報が入力されたか否かが判断され（図４のステップＳ１２５に対応）、カード情報入力画面６０においてカード情報が入力されなかったと判断された（図４のステップＳ１２５：ＮＯに対応）後、またはカード情報入力画面６０においてカード情報が入力されたと判断された場合において（図４のステップＳ１２５：ＹＥＳに対応）、出力部２２８によって、カード情報記憶部２２５ｂの記憶内容が、パソコン接続端子２１３から決済サーバ１７０に向けて出力された（図４のステップＳ１２６に対応）後、送信信号生成部２２７によって、プリントサーバ１６０に向けて画像データファイルを送信させるための命令が生成される。続いて、出力部２２８が、送信信号生成部２２７によって生成された命令をパソコンに送信するためにパソコン接続端子２１３から出力すると共に、発注情報記憶部２２５ａに記憶された発注情報と、識別情報記憶部２２２に記憶された識別情報とを、パソコン２４０及びインターネット３を介してプリントサーバ１６０に送信するために、パソコン接続端子２１３から出力する。
【００９０】
以上のように、第２の実施の形態のプリント注文用リモコン２１０は、第１の実施の形態のプリント注文用リモコン１１０と同様に、オンラインでの写真プリントの注文を気軽に行うことができる。
【００９１】
また、本実施の形態のプリント注文用リモコン２１０では、ディスプレイ２４１を含んでおり且つインターネット３との接続が可能なパソコン２４０に接続するためのパソコン接続端子２１３を備えており、出力部２２８が、合成部２２６での合成によって生成された注文画面データファイル及び確認画面データファイルと、テンプレート記憶部２２４に記憶されているテンプレートデータファイルと、識別情報記憶部２２２に記憶されている識別情報と、入力装置２３０によって入力された発注情報とを、パソコン接続端子２１３から出力する。したがって、プリント注文用リモコン２１０自身がインターネット３に接続可能である場合と比べて、構成が簡易である。これにより、プリント注文用リモコン２１０を安価で提供することが可能となる。
【００９２】
また、本実施の形態のプリント注文用リモコン２１０では、画像取得制御部２２３が、画像データファイルのパソコン接続端子２１３を介したパソコン２４０からの受信を制御する。したがって、パソコン２４０に設けられたハードディスクに保存された画像データファイルや、パソコン２４０に設けられたメディアドライブ２４２にセットされたメディアに記録された画像データファイルを取得し、当該画像データファイルに係るサムネイル画像を含む注文画面２０をディスプレイ２４１に表示することができる。
【００９３】
さらに、本実施の形態のプリント注文用リモコン２１０は、プリントサーバ１６０に向けて画像データファイルを送信させるための命令を生成する送信信号生成部２２７を備えており、出力部２２８が、送信信号生成部２２７が生成した命令をパソコン接続端子２１３から出力する。したがって、パソコン２４０に設けられたハードディスクに保存された画像データファイルや、パソコン２４０に設けられたメディアドライブ２４２にセットされたメディアに記録された画像データファイルに係る写真プリントの注文を行うことができる。
【００９４】
以上、本発明の好適な実施の形態について説明したが、本発明は上述の実施の形態に限られるものではなく、特許請求の範囲に記載した限りにおいて、様々な設計変更を行うことが可能なものである。
【００９５】
例えば、第２の実施の形態における一変形例を、図１５に示す。図１５は、第２の実施の形態の変形例であるプリント注文用リモコン３１０の概略構成を示すブロック図である。プリント注文用リモコン３１０の構成が、第２の実施の形態のプリント注文用リモコン２１０の構成と主に異なる点は、プリント注文用リモコン３１０は、コントローラ３２０と、入力装置３３０と、パソコン接続端子３１３とに加えて、セットされたメディアに記録された画像データファイルを読み出すメディアドライブ３１２を備えている点である。そして、画像取得制御部３２３は、第１の実施の形態における画像取得制御部１２３と同様の機能を有している。なお、コントローラ３２０の構成は、第２の実施例のコントローラ２２０の送信命令生成部２２７に相当する要素を備えていないことを除いては、コントローラ２２０の構成と同様である。また、入力装置３３０、及びパソコン接続端子３１３の構成及び機能は、第２の実施の形態の入力装置２３０、及びパソコン接続端子２１３と同様である。プリント注文用リモコン３１０では、上述のような構成により、パソコン２４０がメディアドライブを備えていない場合であっても、メディアに記録された画像データファイルに係るサムネイル画像を含む注文画面２０をパソコン２４０のディスプレイ２４１に表示し、注文画面２０に含まれるサムネイル画像に係る写真プリントの注文を行うことができる。
【００９６】
さらに、上述の第１及び第２の実施の形態、ならびに第２の実施の形態の変形例では、ディスプレイに表示される画面のテンプレートデータファイルを記憶するテンプレート記憶部を備えている場合について説明したが、これには限られない。例えば、プリント注文用リモコンにテンプレート記憶部が設けられておらず、写真プリントの注文を行う度に、プリントサーバに記憶されたテンプレートデータファイルを、インターネットを介して取得するようにしてもよい。
【００９７】
また、上述の第１及び第２の実施の形態、ならびに第２の実施の形態の変形例では、ディスプレイに表示される初期画面、注文画面、プリンタ選択画面、受取場所選択画面、支払経路選択画面、カード情報入力画面、確認画面、及び発注画面のテンプレートデータファイルがテンプレート記憶部に記憶されている場合について説明したが、テンプレート記憶部には、少なくとも注文画面のテンプレートデータファイルが記憶されていればよい。
【００９８】
加えて、上述の第１及び第２の実施の形態、ならびに第２の実施の形態の変形例では、更新部が、テンプレート記憶部に記憶されているプリンタ選択画面及び受取場所選択画面のテンプレートデータファイルを、プリントサーバから取得した情報に基づいて更新する場合について説明したが、これには限られない。プリント注文用リモコンに更新部が備えられておらず、プリンタ選択画面及び受取場所選択画面のテンプレートデータファイルが更新不可能であってもよい。また、例えば、プリント注文用リモコンを購入した店舗でテンプレートデータファイルを更新するようにしてもよい。
【００９９】
また、上述の第１及び第２の実施の形態、ならびに第２の実施の形態の変形例では、入力装置が、ディスプレイ１４０に表示される画面上のカーソルを移動させることによって、当該画面に表示された複数の選択肢の中から１つを選択させるための移動ボタンと、画面上で選択された選択肢を確定させるための確定ボタンとを備えている場合について説明したが、これには限られない。例えば、トラックボール等のポインティングディバイスによってカーソルを移動させるようにしてもよい。
【０１００】
また、上述の第１及び第２の実施の形態、ならびに第２の実施の形態の変形例では、入力装置が、ディスプレイに表示される注文画面に含まれる６コマ分のサムネイル画像の配置と同様に配置されており、６コマのサムネイル画像をそれぞれ選択するための６個の画像選択ボタンを備えている場合について説明したが、これには限られない。例えば、画像選択ボタンは、注文画面に含まれるサムネイル画像の配置と異なるように配置されていてもよい。また、トラックボール等のポインティングディバイスによって画像を選択するようにしてもよい。
【０１０１】
さらに、上述の第１及び第２の実施の形態、ならびに第２の実施の形態の変形例では、入力装置が、注文画面において選択されたサムネイル画像のプリント枚数を増加させるための増加ボタン及び減少させるための減少ボタンを備えている場合について説明したが、これには限られない。例えば、テンキーによってプリント枚数を入力するようにしてもよい。
【０１０２】
加えて、上述の第１及び第２の実施の形態、ならびに第２の実施の形態の変形例では、入力装置が、プリント注文用リモコンをインターネットに接続させて、プリントサーバへの送信を開始させるための送信開始ボタンを備えている場合について説明したが、これには限られない。例えば、送信開始ボタンが設けられておらず、確認画面において確定ボタンが操作された際に、プリントサーバへの送信を開始させるようにしてもよい。
【０１０３】
また、上述の第１及び第２の実施の形態、ならびに第２の実施の形態の変形例では、合成部が、画像データファイルのサムネイル画像ファイルと注文画面のテンプレートデータファイルとを合成することによって注文画面データファイルを生成する場合について説明したが、合成部は、サムネイル画像ファイルでなく、画像データファイルと注文画面のテンプレートデータファイルとを合成してもよい。
【０１０４】
また、上述の第１及び第２の実施の形態、ならびに第２の実施の形態の変形例では、プリント注文用リモコンの所有者の氏名、住所、電話番号等の個人情報を記憶する個人情報記憶部と、インターネットを介してプリントサーバにアクセスする際にプリント注文用リモコンの所有者である顧客を識別するための識別情報であるＩＤ及びパスワードを記憶する識別情報記憶部とを備えている場合について説明したが、個人情報記憶部及び識別情報記憶部はなくてもよい。
【０１０５】
さらに、上述の第１及び第２の実施の形態、ならびに第２の実施の形態の変形例では、識別情報記憶部に記憶されている識別情報、入力装置によって入力された発注情報、及び発注情報に含まれる注文情報に係る画像データファイルが、インターネットを介してプリントサーバに送信される場合について説明したが、インターネットを経由せず、別の通信ネットワークを経由して発注情報等を送信するようにしてもよい。また、２つ以上の通信ネットワークを経由して発注情報等の送信を行うようにしてもよい。
【図面の簡単な説明】
【０１０６】
【図１】本発明の第１の実施の形態に係る写真プリント注文用リモートコントローラを含んで構成されるプリントシステムの概略構成を示す図である。
【図２】図１に示す写真プリント注文用リモートコントローラの概略構成を示すブロック図である。
【図３】図１に示す写真プリント注文用リモートコントローラの概略構成を示す外観図である。
【図４Ａ】図２に示す写真プリント注文用リモートコントローラで行われる処理手順を示すフローチャート（前半）である。
【図４Ｂ】図２に示す写真プリント注文用リモートコントローラで行われる処理手順を示すフローチャート（後半）である。
【図５】図１に示すディスプレイに表示される初期画面を示す図である。
【図６】図１に示すディスプレイに表示される注文画面を示す図である。
【図７】図１に示すディスプレイに表示されるプリンタ選択画面を示す図である。
【図８】図１に示すディスプレイに表示される受取場所選択画面を示す図である。
【図９】図１に示すディスプレイに表示される支払経路選択画面を示す図である。
【図１０】図１に示すディスプレイに表示されるカード情報入力画面を示す図である。
【図１１】図１に示すディスプレイに表示される確認画面を示す図である。
【図１２】図１に示すディスプレイに表示される発注画面を示す図である。
【図１３】本発明の第２の実施の形態に係る写真プリント注文用リモートコントローラを含んで構成されるプリントシステムの概略構成を示す図である。
【図１４】図１３に示す写真プリント注文用リモートコントローラの概略構成を示すブロック図である。
【図１５】図１４に示す写真プリント注文用リモートコントローラの変形例であり、写真プリント注文用リモートコントローラの概略構成を示すブロック図である。
【符号の説明】
【０１０７】
１  プリントシステム
３  インターネット（通信ネットワーク）
２０  注文画面
３０  プリンタ選択画面
１１２  メディアドライブ（読出装置）
１１３  ディスプレイ接続端子
１１４  インターネット接続端子（ネットワーク接続端子）
１２２、２２２  識別情報記憶部（識別情報記憶手段）
１２３、２２３  画像取得制御部（画像取得手段）
１２４  テンプレート記憶部（テンプレート記憶手段）
１２６、２２６  合成部（合成手段）
１２７  送信部（送信手段）
１２８、２２８  出力部（出力手段）
１２９  更新部（更新手段）
１３０、２３０  入力装置（入力手段）
１３２ａ〜１３２ｄ  移動ボタン（プリンタ選択ボタン）
１３３  確定ボタン
１３４  画像選択ボタン
１３５ａ  増加ボタン
１３５ｂ  減少ボタン
１３６  送信開始ボタン
１４０、２４１  ディスプレイ
１６０  プリントサーバ（サーバ）
２１３  パソコン接続端子（端末接続端子）
２２７  送信命令生成部（送信命令生成手段）
２４０  パソコン（端末）
【図１】
2006331173.tif 000003
【図２】
2006331173.tif 000004
【図３】
2006331173.tif 000005
【図４Ａ】
2006331173.tif 000006
【図４Ｂ】
2006331173.tif 000007
【図５】
2006331173.tif 000008
【図６】
2006331173.tif 000009
【図７】
2006331173.tif 000010
【図８】
2006331173.tif 000011
【図９】
2006331173.tif 000012
【図１０】
2006331173.tif 000013
【図１１】
2006331173.tif 000014
【図１２】
2006331173.tif 000015
【図１３】
2006331173.tif 000016
【図１４】
2006331173.tif 000017
【図１５】
2006331173.tif 000018